【手続補正書】
【提出日】平成24年12月7日(2012.12.7)
【手続補正１】
【補正対象書類名】明細書
【補正対象項目名】００１２
【補正方法】変更
【補正の内容】
【００１２】
請求項１記載の発明は、撮像手段から逐次出力される撮影構図確認用のライブビュー画像を表示手段に逐次表示させる表示制御手段と、前記ライブビュー画像上における任意の位置をユーザーに指定させるとともに、この指定位置における所定の観点に基づく画像状態をユーザーに任意に指定させる指定手段と、前記指定位置における前記所定の観点に基づく画像状態が前記指定された画像状態となるように、前記撮像手段により撮像した画像を記録する際の撮像条件または画像処理条件を変化させる撮影制御手段と、を備えたことを特徴とする撮像装置である。
請求項２記載の発明は、前記指定手段は、前記ライブビュー画像上において任意に指定された複数の指定位置の各々に対して、前記所定の観点に基づく画像状態を独立して任意に指定させ、前記撮影制御手段は、前記複数の指定位置の各々の画像状態が独立して指定された画像状態になるように、前記撮像手段により撮像した画像を記録する際の撮像条件または画像処理条件を変化させることを特徴とする請求項１に記載の撮像装置である。
請求項３記載の発明は、前記指定手段は、前記指定位置における前記所定の観点に基づく画像状態を指定時の画像状態に対して変化させる方向と量をユーザーに指定させ、前記撮影制御手段は、前記指定位置における所定の観点に基づく画像状態が前記指定された方向に指定された量だけ変化するように、前記撮像手段により撮像した画像を記録する際の撮像条件または画像処理条件を変化させることを特徴とする請求項１または２に記載の撮像装置である。
請求項４記載の発明は、前記指定手段は、前記ライブビュー画像上において任意に指定された複数の指定位置の各々に対して、前記画像状態を変化させる方向と量を独立して任意に指定させ、前記撮影制御手段は、前記複数の指定位置の各々の画像状態が独立して指定方向に指定量だけ変化するように、前記撮像手段により撮像した画像を記録する際の撮像条件または画像処理条件を変化させることを特徴とする請求項１乃至３のいずれかに記載の撮像装置である。
請求項５記載の発明は、前記撮影制御手段は、前記指定位置の画像状態を変化させる場合に、前記撮像手段による撮像の際の撮影条件を優先的に変化させ、この撮影条件の変化では指定された画像状態にすることができない場合に、撮影画像の記録前に行う画像処理の画像処理条件を変化させることを特徴とする請求項１乃至３のいずれかに記載の撮像装置である。
請求項６記載の発明は、前記撮影制御手段は、更に、前記指定位置における所定の観点に基づく画像状態が前記指定された方向に指定された量だけ変化するように、前記撮像手段により撮像した画像を前記ライブビュー画像として表示する際の撮像条件または画像処理条件を変化させることを特徴とする請求項１乃至５のいずれかに記載の撮像装置である。
請求項７記載の発明は、前記指定手段は、前記ライブビュー画像上に、前記画像状態を変化させる方向が夫々異なる複数のマーカオブジェクトを表示し、このマーカオブジェクト上のユーザー操作に応じて、操作されたマーカオブジェクトに対応する方向に画像状態を変化させることを指定することを特徴とする請求項１乃至６のいずれかに記載の撮像装置である。
請求項８記載の発明は、前記指定手段は、前記マーカオブジェクトに対する操作回数によって前記画像状態を変化させる量を指定することを特徴とする請求項７に記載の撮像装置である。
請求項９記載の発明は、前記所定の観点は、撮影画像のボケ具合であり、前記指定手段は、前記指定位置における指定時の撮影画像のボケ具合に対してボケ量を増やすか減らすかの変化方向と変化量をユーザーに指定させることを特徴とする請求項１乃至８のいずれかに記載の撮像装置である。
請求項１０記載の発明は、前記撮影制御手段は、前記指定位置のボケ具合を変化させる場合に、前記撮像手段による撮像の際の被写界深度に係るフォーカス距離および絞り値を優先的に変化させ、フォーカス距離および絞り値の変化では指定された画像状態にすることができない場合に、撮影画像の記録前に行う画像処理の画像処理条件を変化させることを特徴とする請求項１乃至９のいずれかに記載の撮像装置である。
請求項１１記載の発明は、ボケの無い原画像をボケのある劣化画像に変換する画像変換関数を、前記撮像手段から取り込まれた撮影画像を劣化画像とした場合において推定し、この推定された画像変換関数の逆変換を行う逆画像変換関数によって前記撮影画像を変換することで復元画像を生成する復元手段を更に備え、前記撮影制御手段は、対象とする画像に対してボケを低減する方向への補正を行う場合には、前記復元手段により生成された復元画像に基づいてボケ量を補正する画像処理を実行することを特徴とする請求項１０に記載の撮像装置である。
請求項１２記載の発明は、前記復元手段は、前記撮像手段から取り込まれた撮影画像に対して２次元フーリエ変換または２次元離散コサイン変換を施したフーリエ変換画像に基づいて前記逆画像変換関数を推定することを特徴とする請求項１１に記載の撮像装置である。
請求項１３記載の発明は、前記撮像手段から取り込まれた撮影画像を複数の領域に分割し、この分割された各領域毎に、２次元フーリエ変換または２次元離散コサイン変換を施して各周波数成分の分布状態を求め、高周波成分の割合または低周波成分の割合を数値化した画質評価値を算出する画質評価手段と、前記画質評価手段により各領域毎に数値化された画質評価値を前記ライブビュー画像とともに表示する画質表示手段とを更に備えたことを特徴とする請求項１乃至１２のいずれかに記載の撮像装置である。
請求項１４記載の発明は、前記撮像手段から取り込まれた撮影画像内で、前記画質評価手段による画質評価値の算出対象となる位置を特定する特定手段を更に備え、前記画質評価手段は、前記特定手段により特定された位置を含む複数の領域に対して前記画質評価値を算出し、前記画質表示手段は、前記画質評価手段により各領域毎に数値化された画質評価値を、格子状に拡大して表示することを特徴とする請求項１３に記載の撮像装置である。
請求項１５記載の発明は、前記画質表示手段は、各領域に対応する画質評価値を色またはパターンに変換して各格子内に表示することを特徴とする請求項１４に記載の撮像装置である。
請求項１６記載の発明は、前記指定手段は、前記所定の観点をユーザーに任意に指定させることを特徴とする請求項１乃至１５のいずれかに記載の撮像装置である。
請求項１７記載の発明は、前記所定の観点は、撮影画像の明るさを含み、前記指定手段は、前記指定位置における指定時の撮影画像の明るさに対して明るさを増やすか減らすかの変化方向と変化量をユーザーに指定させることを特徴とする請求項１乃至１６のいずれかに記載の撮像装置である。
請求項１８記載の発明は、前記所定の観点は、撮影画像の色温度であり、前記指定手段は、前記指定位置における指定時の撮影画像の色温度に対して色温度を増やすか減らすかの変化方向と変化量をユーザーに指定させることを特徴とする請求項１乃至１７のいずれかに記載の撮像装置である。
請求項１９記載の発明は、前記指定手段は、ユーザインターフェースとして、前記画像状態を指定するためのスイッチオブジェクトを備え、該スイッチオブジェクトに対するユーザ操作に応答して、前記位置指定を行うためのマーカオブジェクトを前記ライブビュー画像上に出現させることを特徴とする請求項１乃至１８のいずれかに記載の撮像装置である。
請求項２０記載の発明は、前記マーカオブジェクトは、ユーザ操作に応じて前記ライブビュー画像上で位置を移動することを特徴とする請求項１９に記載の撮像装置である。
請求項２１記載の発明は、撮像手段から逐次出力される撮影構図確認用のライブビュー画像を表示手段に逐次表示させる表示制御処理と、前記ライブビュー画像上における任意の位置をユーザーに指定させるとともに、この指定位置における所定の観点に基づく画像状態をユーザーに任意に指定させる指定処理と、前記指定位置における前記所定の観点に基づく画像状態が前記指定された画像状態となるように、前記撮像手段により撮像した画像を記録する際の撮像条件または画像処理条件を変化させる撮影制御処理と、を含むことを特徴とする、撮像装置の制御方法である。
請求項２２記載の発明は、撮像装置のコンピュータを、撮像手段から逐次出力される撮影構図確認用のライブビュー画像を表示手段に逐次表示させる表示制御手段と、前記ライブビュー画像上における任意の位置をユーザーに指定させるとともに、この指定位置における所定の観点に基づく画像状態をユーザーに任意に指定させる指定手段と、前記指定位置における前記所定の観点に基づく画像状態が前記指定された画像状態となるように、前記撮像手段により撮像した画像を記録する際の撮像条件または画像処理条件を変化させる撮影制御手段と、して機能させるためのプログラムである。
【手続補正２】
【補正対象書類名】特許請求の範囲
【補正対象項目名】全文
【補正方法】変更
【補正の内容】
【特許請求の範囲】
【請求項１】
撮像手段から逐次出力される撮影構図確認用のライブビュー画像を表示手段に逐次表示させる表示制御手段と、
前記ライブビュー画像上における任意の位置をユーザーに指定させるとともに、この指定位置における所定の観点に基づく画像状態をユーザーに任意に指定させる指定手段と、
前記指定位置における前記所定の観点に基づく画像状態が前記指定された画像状態となるように、前記撮像手段により撮像した画像を記録する際の撮像条件または画像処理条件を変化させる撮影制御手段と、
を備えたことを特徴とする撮像装置。
【請求項２】
前記指定手段は、前記ライブビュー画像上において任意に指定された複数の指定位置の各々に対して、前記所定の観点に基づく画像状態を独立して任意に指定させ、
前記撮影制御手段は、前記複数の指定位置の各々の画像状態が独立して指定された画像状態になるように、前記撮像手段により撮像した画像を記録する際の撮像条件または画像処理条件を変化させることを特徴とする請求項１に記載の撮像装置。
【請求項３】
前記指定手段は、前記指定位置における前記所定の観点に基づく画像状態を指定時の画像状態に対して変化させる方向と量をユーザーに指定させ、
前記撮影制御手段は、前記指定位置における所定の観点に基づく画像状態が前記指定された方向に指定された量だけ変化するように、前記撮像手段により撮像した画像を記録する際の撮像条件または画像処理条件を変化させることを特徴とする請求項１または２に記載の撮像装置。
【請求項４】
前記指定手段は、前記ライブビュー画像上において任意に指定された複数の指定位置の各々に対して、前記画像状態を変化させる方向と量を独立して任意に指定させ、
前記撮影制御手段は、前記複数の指定位置の各々の画像状態が独立して指定方向に指定量だけ変化するように、前記撮像手段により撮像した画像を記録する際の撮像条件または画像処理条件を変化させることを特徴とする請求項１乃至３のいずれかに記載の撮像装置。
【請求項５】
前記撮影制御手段は、前記指定位置の画像状態を変化させる場合に、前記撮像手段による撮像の際の撮影条件を優先的に変化させ、この撮影条件の変化では指定された画像状態にすることができない場合に、撮影画像の記録前に行う画像処理の画像処理条件を変化させることを特徴とする請求項１乃至３のいずれかに記載の撮像装置。
【請求項６】
前記撮影制御手段は、更に、前記指定位置における所定の観点に基づく画像状態が前記指定された方向に指定された量だけ変化するように、前記撮像手段により撮像した画像を前記ライブビュー画像として表示する際の撮像条件または画像処理条件を変化させることを特徴とする請求項１乃至５のいずれかに記載の撮像装置。
【請求項７】
前記指定手段は、前記ライブビュー画像上に、前記画像状態を変化させる方向が夫々異なる複数のマーカオブジェクトを表示し、このマーカオブジェクト上のユーザー操作に応じて、操作されたマーカオブジェクトに対応する方向に画像状態を変化させることを指定することを特徴とする請求項１乃至６のいずれかに記載の撮像装置。
【請求項８】
前記指定手段は、前記マーカオブジェクトに対する操作回数によって前記画像状態を変化させる量を指定することを特徴とする請求項７に記載の撮像装置。
【請求項９】
前記所定の観点は、撮影画像のボケ具合であり、
前記指定手段は、前記指定位置における指定時の撮影画像のボケ具合に対してボケ量を増やすか減らすかの変化方向と変化量をユーザーに指定させることを特徴とする請求項１乃至８のいずれかに記載の撮像装置。
【請求項１０】
前記撮影制御手段は、前記指定位置のボケ具合を変化させる場合に、前記撮像手段による撮像の際の被写界深度に係るフォーカス距離および絞り値を優先的に変化させ、フォーカス距離および絞り値の変化では指定された画像状態にすることができない場合に、撮影画像の記録前に行う画像処理の画像処理条件を変化させることを特徴とする請求項１乃至９のいずれかに記載の撮像装置。
【請求項１１】
ボケの無い原画像をボケのある劣化画像に変換する画像変換関数を、前記撮像手段から取り込まれた撮影画像を劣化画像とした場合において推定し、この推定された画像変換関数の逆変換を行う逆画像変換関数によって前記撮影画像を変換することで復元画像を生成する復元手段を更に備え、
前記撮影制御手段は、対象とする画像に対してボケを低減する方向への補正を行う場合には、前記復元手段により生成された復元画像に基づいてボケ量を補正する画像処理を実行することを特徴とする請求項１０に記載の撮像装置。
【請求項１２】
前記復元手段は、前記撮像手段から取り込まれた撮影画像に対して２次元フーリエ変換または２次元離散コサイン変換を施したフーリエ変換画像に基づいて前記逆画像変換関数を推定することを特徴とする請求項１１に記載の撮像装置。
【請求項１３】
前記撮像手段から取り込まれた撮影画像を複数の領域に分割し、この分割された各領域毎に、２次元フーリエ変換または２次元離散コサイン変換を施して各周波数成分の分布状態を求め、高周波成分の割合または低周波成分の割合を数値化した画質評価値を算出する画質評価手段と、
前記画質評価手段により各領域毎に数値化された画質評価値を前記ライブビュー画像とともに表示する画質表示手段とを更に備えたことを特徴とする請求項１乃至１２のいずれかに記載の撮像装置。
【請求項１４】
前記撮像手段から取り込まれた撮影画像内で、前記画質評価手段による画質評価値の算出対象となる位置を特定する特定手段を更に備え、
前記画質評価手段は、前記特定手段により特定された位置を含む複数の領域に対して前記画質評価値を算出し、
前記画質表示手段は、前記画質評価手段により各領域毎に数値化された画質評価値を、格子状に拡大して表示することを特徴とする請求項１３に記載の撮像装置。
【請求項１５】
前記画質表示手段は、各領域に対応する画質評価値を色またはパターンに変換して各格子内に表示することを特徴とする請求項１４に記載の撮像装置。
【請求項１６】
前記指定手段は、前記所定の観点をユーザーに任意に指定させることを特徴とする請求項１乃至１５のいずれかに記載の撮像装置。
【請求項１７】
前記所定の観点は、撮影画像の明るさを含み、
前記指定手段は、前記指定位置における指定時の撮影画像の明るさに対して明るさを増やすか減らすかの変化方向と変化量をユーザーに指定させることを特徴とする請求項１乃至１６のいずれかに記載の撮像装置。
【請求項１８】
前記所定の観点は、撮影画像の色温度であり、
前記指定手段は、前記指定位置における指定時の撮影画像の色温度に対して色温度を増やすか減らすかの変化方向と変化量をユーザーに指定させることを特徴とする請求項１乃至１７のいずれかに記載の撮像装置。
【請求項１９】
前記指定手段は、ユーザインターフェースとして、前記画像状態を指定するためのスイッチオブジェクトを備え、該スイッチオブジェクトに対するユーザ操作に応答して、前記位置指定を行うためのマーカオブジェクトを前記ライブビュー画像上に出現させることを特徴とする請求項１乃至１８のいずれかに記載の撮像装置。
【請求項２０】
前記マーカオブジェクトは、ユーザ操作に応じて前記ライブビュー画像上で位置を移動することを特徴とする請求項１９に記載の撮像装置。
【請求項２１】
撮像手段から逐次出力される撮影構図確認用のライブビュー画像を表示手段に逐次表示させる表示制御処理と、
前記ライブビュー画像上における任意の位置をユーザーに指定させるとともに、この指定位置における所定の観点に基づく画像状態をユーザーに任意に指定させる指定処理と、
前記指定位置における前記所定の観点に基づく画像状態が前記指定された画像状態となるように、前記撮像手段により撮像した画像を記録する際の撮像条件または画像処理条件を変化させる撮影制御処理と、
を含むことを特徴とする、撮像装置の制御方法。
【請求項２２】
撮像装置のコンピュータを、
撮像手段から逐次出力される撮影構図確認用のライブビュー画像を表示手段に逐次表示させる表示制御手段と、
前記ライブビュー画像上における任意の位置をユーザーに指定させるとともに、この指定位置における所定の観点に基づく画像状態をユーザーに任意に指定させる指定手段と、
前記指定位置における前記所定の観点に基づく画像状態が前記指定された画像状態となるように、前記撮像手段により撮像した画像を記録する際の撮像条件または画像処理条件を変化させる撮影制御手段と、
して機能させるためのプログラム。